(57)【特許請求の範囲】
【請求項１】
腕金の上面にこの腕金の延出方向と交差する方向に設けられたプレートの両端部に装着され、前記プレートよりも上方に延設されてネジ溝が形成されている基端部と、前記腕金よりも下側に延設されて配電設備が取り付けられる先端部とを有する一対の腕金取付具に取り付けられるものであって、
基板とこの基板の端部から延びる立板とで構成され、前記腕金取付具を挿通可能とする一対の通孔と、防巣具を装着可能とする通孔とが形成され、前記立板には防巣具を装着可能とする通孔が形成されている防巣具取付用基台と、
前記腕金取付具を挿着可能とする取付孔を有し、この取付孔は、前記腕金取付具の挿入端から軸方向の一定範囲までを成すネジ溝が形成されていない第１の孔部と、この第１の孔部に続いて形成され、前記腕金取付具のネジ溝と対応したネジ溝が形成された第２の孔部とから成る防巣具取付用固定具とを
具備することを特徴とする防巣具の取付構造。
【請求項２】
前記防巣具取付用基台のうち、前記腕金取付具を挿通可能とする一対の通孔は、長孔であり、前記防巣具を装着可能とする通孔は、前記基板の長手方向に沿って複数設けられていることを特徴とする請求項１に記載の防巣具の取付構造。
【請求項３】
請求項１又は請求項２に記載の防巣具の取付構造を用いた防巣具の取り付け方法であって、
前記配電設備を前記腕金に取り付けている一対の腕金取付具に対し、その先端部位を前記防巣具取付用基台の基板に形成された一対の通孔に挿通させた後、
この腕金取付具の先端部位に対し防巣具取付用固定具を取付孔の第１の孔部にて外挿させ、
この防巣具取付用固定具を回動させることにより前記防巣具取付用固定具の第２の孔部に前記腕金取付具のネジ溝を螺合させて、
前記防巣具取付用基台を前記腕金取付具に取り付けたことを特徴とする防巣具の取り付け方法。
【請求項４】
前記防巣具取付用基台の基板及び立板の少なくとも一方には予め防巣具が取り付けられていることを特徴とする請求項３に記載の防巣具の取り付け方法。
【発明の詳細な説明】
【技術分野】
【０００１】
この発明は、防巣具を電柱等の柱状立設体上の配電設備に取り付けるために用いる防巣具取付用基台及び防巣具取付用固定具からなる防巣具の取付構造、並びにこれらの防巣具取付用基台及び防巣具取付用固定具を利用した防巣具の取り付け方法に関する。
【背景技術】
【０００２】
鳥が電柱に営巣することにより配電線事故を招くことが多いので、鳥の営巣を防止すべく、幹軸の側面から斜めに延設された複数の枝棒から成る防巣具を電柱の腕金にクランプを介して固着することは既に公知である（例えば、特許文献１を参照。）。このクランプの構成の一例を説明すると、本願の図６に示されるようなものとなり、間接活線工法の下で防巣具を取り付けることができる。
【０００３】
すなわち、クランプ１００の上腕部１０１を腕金１０６の上面及び一方の側面に係合してクランプ１００を腕金１０６に一時的に保持した状態とした後、クランプ１００の下腕部１０２を持ち上げて、下腕部１０２の突起部１０４近傍の軸部１０５を上腕部１０１のスリット状の溝１０３に差込むことで、防巣具１０７を有するクランプ１００は腕金１０６に固定されるので、細やかな作業を必要とせず、間接活線工法を採択することが可能である。
【０００４】
これに対し、鳥は閉塞器等の配電設備の周囲に良く営巣することが知られている一方、腕金の下方に存する閉塞器自体が防巣具の取り付けの弊害となることがあるところ、閉塞器の周囲への防巣具の取り付けを工夫した構造として、開閉器の上面に遮蔽板を配して当該上面を複数の面に分割した状態とし、且つ遮蔽板の上面自体も傾斜して滑り易く物が乗っても落下しやすいようにした柱上開閉器における鳥害防止構造が既に公知になっている（例えば、特許文献２を参照。）。この柱上開閉器における鳥害防止構造は、柱上開閉器を腕金から吊り下げるためのＪボルトの上側端部に取付金具を外挿するものである。
【０００５】
また、腕金の下面で腕金支持枠を冠着させて、この腕金支持枠の上壁から下方に延びる２つの側壁と腕金とにボルト、ナットを貫通させて締止することで、複数の針金棒を備えた営巣防止バリヤーを開閉器の上方に配置する構成も既に公知となっている（例えば、特許文献３を参照。）。
【特許文献１】特開２００４−３１３００５号公報
【特許文献２】特開平９−２８２７０号公報
【特許文献３】特開平１０−８４８３９号公報
【発明の開示】
【発明が解決しようとする課題】
【０００６】
もっとも、特許文献２に記載の柱上開閉器における鳥害防止構造では、フック部を開閉器に取り付けたアレスター取付アームに挟持させて装着するという作業を要する。しかも、当該特許文献２の図２に示されるように部品点数が相対的に多く、これに伴い工数も相対的に多いという不都合を有する。また、特許文献３に記載の開閉器用営巣防止具では、２つの側壁で上側から腕金を嵌め込み挟持した後、側壁にボルトを挿通し、この側壁の挿入側と反対側から突出したボルトの先端部分にナットを外挿するため、ボルトの脱落を回避しつつ締結作業を行うことを要する。
【０００７】
このため、これらの特許文献２及び３では、絶縁操作棒及びその先端に取りつけられた各種先端工具を介して行う間接活線工法での作業が容易でない。従って、高圧手袋等の保護具を着用した作業員が活線に近接したかたちで直接的に手で防巣具の取り付け作業をするという直接活線工法を採る必要があるので、感電のおそれがあり安全性に欠け、且つ防護具を装着して作業するため疲労が大きいという不具合を有する。
【０００８】
そこで、本発明は、安全な間接活線工法に対応した防巣具取付用基台、防巣具取付用固定具からなる防巣具の取付構造、及びこれらの防巣具取付用基台及び防巣具取付用固定具のみで行うことの可能な防巣具の取り付け方法を提供することを目的とする。
【課題を解決するための手段】
【０００９】
請求項１に記載の防巣具の取付構造は、腕金の上面にこの腕金の延出方向と交差する方向に設けられたプレートの両端部に装着され、前記プレートよりも上方に延設されてネジ溝が形成されている基端部と、前記腕金よりも下側に延設されて配電設備が取り付けられる先端部とを有する一対の腕金取付具に取り付けられるものであって、基板とこの基板の端部から延びる立板とで構成され、前記腕金取付具を挿通可能とする一対の通孔と、防巣具を装着可能とする通孔とが形成され、前記立板には防巣具を装着可能とする通孔が形成されている防巣具取付用基台と、前記腕金取付具を挿着可能とする取付孔を有し、この取付孔は、前記腕金取付具の挿入端から軸方向の一定範囲までを成すネジ溝が形成されていない第１の孔部と、この第１の孔部に続いて形成され、前記腕金取付具のネジ溝と対応したネジ溝が形成された第２の孔部とから成る防巣具取付用固定具とを具備することを特徴とするものである。ここで、防巣具取付用固定具には取付孔の軸方向に沿った寸法が相対的に長いナット等が該当する。これにより、腕金取付具と通孔とが合うように防巣具取付用基台を腕金取付具上に載置するだけで良いので、特段に細やかな作業を必要としないことから間接活線工法を用いることができる。また、防巣具取付用基台の通孔に予め防巣具を取り付けておくことで、現場で防巣具の取り付けが不要とすることもできる。更に、取付用固定具は、その取付孔のうち第１の孔部によってある程度の深度まで腕金取付具に外挿することができるので、防巣具取付用固定具は脱落することなく腕金取付具に仮保持された状態とすることができ、防巣具取付用固定具を回動して腕金取付具に螺合する作業を簡易に行うことが可能である。尚、この配電設備には例えば開閉器等が該当する。以下に示す配電設備についても同様である。
【００１０】
請求項２に記載の防巣具の取付構造は、前記防巣具取付用基台のうち、前記腕金取付具を挿通可能とする一対の通孔は、長孔であり、前記防巣具を装着可能とする通孔は、前記基板の長手方向に沿って複数設けられていることを特徴とするものである。これにより、腕金取付具間の寸法誤差等を吸収することができる。
【００１１】
請求項３に記載の防巣具の取り付け方法は、請求項１又は請求項２に記載の防巣具の取付構造を用いた防巣具の取り付け方法であって、前記配電設備を前記腕金に取り付けている一対の腕金取付具に対し、その先端部位を前記防巣具取付用基台の基板に形成された一対の通孔に挿通させた後、この腕金取付具の先端部位に対し防巣具取付用固定具を取付孔の第１の孔部にて外挿させ、この防巣具取付用固定具を回動させることにより前記防巣具取付用固定具の第２の孔部に前記腕金取付具のネジ溝を螺合させて、前記防巣具取付用基台を前記腕金取付具に取り付けたことを特徴とするものである。前記防巣具取付用基台の基板及び立板の少なくとも一方には予め防巣具が取り付けられているものとしても良い（請求項４）。
【発明の効果】
【００１２】
請求項１から４に記載の発明によれば、腕金取付具への防巣具取付用基台の装着及び防巣具取付用固定具の装着作業を簡易に行うことができるので、間接活線工法により防巣具を配電設備の近傍部位に配置することができる。これに伴い、感電のおそれがある活線の近傍範囲での作業を回避することができ作業の安全性が向上すると共に作業時に防護具を装着する必要性がないので作業中の疲労も軽減される。特に請求項１に記載の発明によれば、腕金取付具への防巣具取付用固定具の装着の際に、腕金取付具の端部に防巣具取付用固定具が第１の孔部にて外挿されるため、防巣具取付用固定具を回転して腕金取付具に螺合する作業において防巣具取付用固定具が腕金取付具から外れないように保持する必要性を小さくすることができる。
【００１３】
特に請求項２に記載の発明によれば、腕金取付具間の寸法誤差等を吸収することができる。
【００１４】
特に請求項４に記載の発明によれば、危険の大きな場所で防巣具を腕金等に装着するという作業をなくすことができるので、防巣具取り付け作業の安全性を向上させることができる。
【発明を実施するための最良の形態】
【００１５】
以下、この発明の実施形態の最良の形態について図面により説明する。
【００１６】
図１において、この発明に係る防巣具取付用基台１及び防巣具取付用固定具２を用いて防巣具３が開閉器４の近傍に設置された状態が示されている。開閉器４は配電設備の一種であるところ、その構成自体は公知であるので説明を省略する。
【００１７】
開閉器４の電柱５への取り付けは、図１、図４及び図５に示されるように、電柱５の側面から当該電柱５の径方向に沿って延びる腕金６に対しこの腕金６の延出方向と交差する方向でプレート７を架設し、このプレート７の両端に先端部８Ａが曲折した腕金取付具８を装着すると共に、開閉器４に環状の被係合部１０を設け、この被係合部１０の孔１１に腕金取付具８の先端部８Ａを挿入することで行われる。尚、電柱５に限定されず、開閉器４等の配電設備がプレート７や腕金取付具８を用いて腕金６に取り付けられる柱状立設体であれば良く、鉄道の架線柱等も該当しうる。
【００１８】
そして、腕金取付具８は、先端部８Ａと反対側となる基端部８Ｂにネジ溝が形成されており、ナット９が基端部８Ｂに螺合されることでプレート７に固定されている一方、その基端部８Ｂはナット９より後述する防巣具取付用固定具２を外挿した場合にその取付孔１９のうちの第２の孔部２１内まで達する程の寸法を有している。
【００１９】
防巣具取付用基台１は、図２に示されるように、薄い板状で略長方形状の基板１３とこの基板１３の長手方向の両端部から鉛直方向に延びる２つの立板１４、１４とで基本的に構成されている。このうち、基板１３には腕金取付具８、８を挿着可能とする通孔１５、１５と、防巣具３を装着可能とする通孔１６とが形成されている。各通孔１５は、腕金取付具８、８間の寸法誤差等を吸収することができるように基板１３の長手方向に沿って長い長孔となっている。通孔１６は、この実施形態では立板１４に対し相対的に近接した通孔１６と立板１４から相対的に離れた通孔１６との２つが形成されており、防巣具３を取り付ける通孔１６を変えるのみで、防巣具３の形態の違いに対応し或いは防巣具３を取り付けた際に他の機器が妨げとならないような工夫がなされている。また、立板１４にも防巣具３を装着可能とする通孔１７が形成されている。
【００２０】
防巣具取付用固定具２は、工具で回すことができるように、この実施形態では外形が六角柱状をなしており、その軸方向に沿って貫通した取付孔１９が形成されている。この取付孔１９は、腕金取付具８の基端部８Ｂに外挿する側となる第１の孔部２０と、この第１の孔部２０に対し軸方向に連続する第２の孔部２１とから成り、第１の孔部２０は内周面にネジ溝が形成されておらず、且つ腕金取付具８の基端部８Ｂの外径寸法よりも若干大きな内径寸法を有している。第２の孔部２１は、腕金取付具８の基端部８Ｂの外径寸法と略同じであると共に、基端部８Ｂの側面に形成されたネジ溝に対応したネジ溝が内周面に形成されている。第１の孔部２０の軸方向寸法は腕金取付具８に外挿した際に腕金取付具８が安易に外れない一方で、防巣具取付用固定具２を回動することで基端部８Ｂのネジ溝と第２の孔部２１のネジ溝とが十分に螺合可能な数値に設定されている。
【００２１】
尚、この実施形態で採用する防巣具３は、図４及び図５に示されるように、円柱状の棒体２３のうち先端側と中腹側とに棒体２３に対し径方向に略均等に膨出した突部２４を設け、この突部２４から放射状に且つ基端側（防巣具用取付基台１側）に向けて斜めに複数の槍部２５を延設させることで構成されている。棒状体２３の基端部は、ナット２６と螺合することができるようにネジ溝が形成されている。また、槍部２５の先端は作業員の安全及び愛鳥精神から丸く加工されている。
【００２２】
しかるに、このような防巣具取付用基台１及び防巣具取付用固定具２を用いて防巣具３を開閉器４の周囲に設置するには例えば図４及び図５に示す工程を採ることとなる。
【００２３】
まず、図４に示されるように、防巣具３を防巣具用取付基台１の基板１３に開口した通孔１６及び立板１４に開口した通孔１７に外側から挿入した後、通孔１６、１７から突出した部位にあるネジ溝にナット２６を螺合することで、予め防巣具３が防巣具用取付基台１に取り付けられた状態とする。次に、防巣具用取付基台１の通孔１５、１５に腕金取付具８の基端部８Ｂを挿通させる。
【００２４】
更に、図５に示されるように、防巣取付用固定具２を腕金取付具８の基端部８Ｂに外挿する。この場合、防巣取付用固定具２の取付孔１９のうちネジ溝の形成されていない第１の孔部２０までが外挿される。そして、防巣取付用固定具２を回転することで腕金取付具８の基端部８Ｂを防巣取付用固定具２の取付孔１９のうち第２の孔部２１に螺合して防巣具取付用基台１を腕金取付具８に固定させる。これにより、図１に示されるように防巣具３を開閉器４の近傍部位に配置することが可能である。
【００２５】
そして、腕金取付具８への防巣具取付用基台１の装着及び防巣具取付用固定具２の装着を簡易に行うことができるので、所定の工具を取り付けた絶縁操作棒や絶縁ヤットコ等の器具を用いて行う間接活線工法を採択することができる。よって、感電のおそれがある活線の近傍範囲での作業を回避することができ、作業の安全性が向上すると共に作業時に防護具を装着する必要性がないので作業中の疲労も軽減される。また、現場で防巣具３を腕金６等に取り付ける作業をなくすこともできる。
【図面の簡単な説明】
【００２６】
【図１】図１は、配電設備（開閉器）の周囲にこの発明に係る防巣具取付用基台及び防巣具取付用固定具を用いて防巣具を設置した状態を示す概略説明図である。
【図２】図２は、同上の防巣具取付用基台の構成を示す説明図であり、図２（Ａ）はその正面図、図２（Ｂ）はその底面図、図２（Ｃ）はその側面図である。
【図３】図３は、同上の防巣具取付用固定具の構成を示す説明図であり、図３（Ａ）はその正面図、図３（Ｂ）は腕金取付具への挿入側から見た平面図である。
【図４】図４は、配電設備を腕金に取り付けるための腕金取付具に防巣具取付用基台を挿着した状態を示す説明図である。
【図５】図５は、図４に示す防巣取付用基台が挿着された腕金取付具に対し防巣具取付用固定具を取り付けた状態を示す説明図である。
【図６】図６は、従来における腕金に防巣具を取り付けるためのクランプの構成を示す説明図である。
【符号の説明】
【００２７】
１  防巣具取付用基台
２  防巣具取付用固定具
３  防巣具
４  開閉器（配電設備）
５  電柱（柱状立設体）
６  腕金
８  腕金取付具
１３  基板
１４  立板
１５  通孔
１６  通孔
１７  通孔
１９  取付孔
２０  第１の孔部
２１  第２の孔部
【図１】
0004761961.tif 000002
【図２】
0004761961.tif 000003
【図３】
0004761961.tif 000004
【図４】
0004761961.tif 000005
【図５】
0004761961.tif 000006
【図６】
0004761961.tif 000007